(57)【特許請求の範囲】
【請求項１】
入力信号に含まれる入力映像信号および同期信号を受け付ける映像表示装置であって、
前記入力映像信号に応じた出力映像信号を表示する表示手段と、
映像信号の複数の垂直解像度のうち、少なくとも１つの垂直解像度に対して、複数の水平解像度の候補と、前記複数の水平解像度の候補のそれぞれが前記入力映像信号の水平解像度として判定される順番とを対応付けて記憶する記憶手段と、
前記入力映像信号の垂直解像度を前記同期信号から判定し、前記記憶手段の中から、前記判定した垂直解像度に応じた水平解像度の候補を、前記順番に基づいて前記入力映像信号の水平解像度として判定する判定手段と、
前記入力映像信号を、前記判定手段にて判定された垂直解像度および水平解像度を有する映像信号に変換し、該変換した映像信号を前記表示手段に表示される前記出力映像信号に変換する変換手段と、を有する映像表示装置。
【請求項２】
請求の範囲第１項に記載の映像表示装置において、
前記判定手段は、水平解像度の自動調整の実行を要求する実行信号を受け付けると、前記入力映像信号の水平解像度を判定し、前記実行信号を受け付けるたびに、過去に判定した水平解像度の前記順番の次の順番の水平解像度の候補を前記入力映像信号の水平解像度として判定する、映像表示装置
【請求項３】
請求の範囲第１項または第２項に記載の映像表示装置において、
前記判定手段は、前記水平解像度の候補を、前記順番に基づいてローテーションさせる前記入力映像信号の水平解像度として判定する、映像表示装置。
【請求項４】
請求の範囲第１項ないし第３項のいずれか１項に記載の映像表示装置において、
前記変換手段は、
フレームメモリと、
前記入力映像信号を、前記判定手段にて判定された水平解像度を水平方向の取り込み幅とし、かつ、前記判定手段にて判定された垂直解像度を垂直方向の取り込み幅として前記フレームメモリに取り込んで、前記出力映像信号に変換する処理手段と、を有する映像表示装置。
【請求項５】
請求の範囲第４項に記載の映像表示装置において、
前記入力映像信号は、アナログ信号であり、
前記変換手段は、サンプリングクロックを生成する生成手段と、前記生成手段にて生成されたサンプリングクロックに応じて前記入力映像信号をサンプルして、前記入力映像信号をデジタル信号に変換するＡ／Ｄ変換手段と、を有し、
前記処理手段は、前記Ａ／Ｄ変換手段でデジタル信号に変換された入力映像信号を前記フレームメモリに取り込み、
前記判定手段は、前記入力映像信号の水平方向のドット数を検出し、該ドット数と、前記判定した水平解像度とが一致するように、前記生成手段が生成するサンプリングクロックの周波数を調整する、映像表示装置。
【請求項６】
入力信号に含まれる入力映像信号および同期信号を受け付ける映像表示装置による映像表示方法であって、
映像信号の複数の垂直解像度のうち、少なくとも１つの垂直解像度に対して、複数の水平解像度の候補と、前記複数の水平解像度の候補のそれぞれが前記入力映像信号の水平解像度として判定される順番とを対応付けて記憶し、
前記入力映像信号の垂直解像度を前記同期信号から判定し、前記記憶された候補の中から、前記判定した垂直解像度に応じた水平解像度の候補を、前記順番に基づいて前記入力映像信号の水平解像度として判定し、
前記入力映像信号を、前記判定された垂直解像度および水平解像度を有する映像信号に変換し、該変換した映像信号を、表示させる出力映像信号に変換し、
前記変換された出力映像信号を表示する、映像表示方法。
【発明の詳細な説明】
【技術分野】
【０００１】
本発明は、映像表示装置および映像表示方法に関する。
【背景技術】
【０００２】
映像信号の垂直解像度および水平解像度に応じた設定を行うことで、映像信号を適切に表示する映像表示装置が知られている。【０００３】
図１は、このような映像表示装置の構成を示したブロック図である。【０００４】
Ａ／Ｄ変換部１０１は、アナログ信号である映像信号を、ＰＬＬ部１０２で生成されたサンプリングクロックに応じてサンプルしてデジタル信号に変換する。映像処理部１０３は、そのデジタル信号に変換された映像信号をフレームメモリ１０４に取り込み、その取り込んだ映像信号を映像表示部１０５に表示する。【０００５】
また、同期検出部１０６は、その映像信号の同期信号から解像度などの映像信号の規格を判定する。また、映像検出部１０７は、Ａ／Ｄ変換部１０１にてデジタル信号に変換された映像信号から、映像信号の水平方向および垂直方向の開始位置、映像信号の水平方向および垂直方向の長さを検出する。【０００６】
ＣＰＵ部１０８は、同期検出部１０６で判定された規格に対応する信号別設定データを、信号データメモリ１０９から取得し、その信号別設定データをＰＬＬ部１０２や映像処理部１０３に設定する。【０００７】
例えば、ＣＰＵ部１０８は、同期検出部１０６で１フレームの総垂直ライン数に応じて、垂直解像度を決定し、その垂直解像度に対応する水平解像度を信号データメモリ１０９から取得する。ＣＰＵ部１０８は、その垂直解像度および水平解像度を映像処理部１０３に設定する。ＣＰＵ部１０８は、映像検出部１０７にて検出された開始位置や幅を映像処理部１０３に設定する。【０００８】
これにより、映像処理部１０３は、１フレーム分の映像信号をフレームメモリ１０４に取り込むことが可能になり、映像信号を適切に表示することが可能になる。【０００９】
なお、このような映像表示装置は、特許文献１に記載のディスプレイ装置や特許文献２に記載の映像機器がある。
【特許文献１】特開平１０−２２２１３７号公報
【特許文献２】特開２００７−１６３８４８号公報
【発明の開示】
【発明が解決しようとする課題】
【００１０】
近年、ノートＰＣなどでは、ワイド画面を有する映像表示装置が使用されている。ワイド画面では、表１で示したように、様々なアスペクト比や解像度が存在する。【００１１】
【表１】
0005473007.tif 000002
図１で示したような映像表示装置では、水平解像度として、一般的な基準アスペクト比に対応する水平解像度が信号データメモリ１０９に記録されている。【００１２】
この基準アスペクト比に対応する水平解像度が、入力映像信号の水平解像度と異なる場合には、Ａ／Ｄ変換部１０１が正確に映像信号をサンプリングすることができないので、その映像信号を正確にデジタル信号に変換できなくなる。このため映像の情報が欠落し、さらに画面も異なるアスペクト比の映像が表示されてしまうという問題があった。したがって、映像信号が正確に表示できない。【００１３】
垂直解像度は、入力同期信号から１フレームの総垂直ライン数を検出することで容易に判定することができるが、映像信号がアナログ信号の場合には、水平解像度を正確に判定することは困難である。【００１４】
したがって、通常、ユーザがＯＳＤ（On-Screen  Display：オンスクリーンディスプレイ）などを用いて解像度を指定していた。しかしながら、この方法では、ユーザが映像信号の解像度を確認し、その解像度を映像表示装置に入力しなければならず、手間がかかるという問題があった。【００１５】
本発明の目的は、上記の課題である、映像信号が正確に表示するためには手間がかかるという問題を解決する映像表示装置および映像表示方法を提供することである。
【課題を解決するための手段】
【００１６】
本発明による映像表示装置は、入力信号に含まれる入力映像信号および同期信号を受け付ける映像表示装置であって、映像信号の垂直解像度ごとに、前記水平解像度の候補を対応付けて記憶する記憶手段と、前記入力映像信号の垂直解像度を前記同期信号から判定し、前記記憶手段の中から、前記判定した垂直解像度に応じた水平解像度の候補を、順番に前記入力映像信号の水平解像度として判定する判定手段と、前記入力映像信号を、前記判定手段にて判定された垂直解像度および水平解像度を有する出力映像信号に変換する変換手段と、前記変換手段にて変換された出力映像信号を表示する表示手段と、を有する。【００１７】
本発明による映像表示方法は、入力信号に含まれる入力映像信号および同期信号を受け付ける映像表示装置による映像表示方法であって、映像信号の垂直解像度ごとに、前記水平解像度の候補を対応付けて記憶し、前記入力映像信号の垂直解像度を前記同期信号から判定し、前記記憶手段の中から、前記判定した垂直解像度に応じた水平解像度の候補を、順番に前記入力映像信号の水平解像度として判定し、前記入力映像信号を、前記判定手段にて判定された垂直解像度および水平解像度を有する出力映像信号に変換し、前記変換手段にて変換された出力映像信号を表示する。
【発明の効果】
【００１８】
本発明によれば、容易な操作で映像信号を正確に表示させることが可能になる。
【図面の簡単な説明】
【００１９】
【図１】関連する技術の映像表示装置の構成を示したブロック図である。
【図２】本発明の第一の実施形態の映像表示装置の構成を示したブロック図である。
【図３】解像度情報の一例を示した説明図である。
【図４】映像表示装置の動作例を説明するためのフローチャートである。
【図５】本発明の第二の実施形態の映像表示装置の構成を示したブロック図である。
【図６】映像表示装置の他の動作例を説明するためのフローチャートである。
【発明を実施するための最良の形態】
【００２０】
以下、本発明の実施形態について図面を参照して説明する。【００２１】
図２は、本発明の第一の実施形態の映像表示装置の構成を示したブロック図である。図２において、映像表示装置は、信号データメモリ１０と、判定部２０と、変換部３０と、映像表示部４０とを有する。【００２２】
信号データメモリ１０は、記憶手段の一例である。信号データメモリ１０は、映像信号の垂直解像度ごとに水平解像度の候補を対応付けた解像度情報を記憶する。【００２３】
図３は、解像度情報の一例を示した説明図である。図３において、解像度情報５０は、垂直解像度５１と、水平解像度５２とを有する。【００２４】
垂直解像度５１は、映像信号の垂直解像度を示す。【００２５】
水平解像度５２は、垂直解像度５１に対応する水平解像度の候補を示す。水平解像度５２が示す候補は、垂直解像度５１に対して１つだけあってもよいし、垂直解像度５１に対して複数あってもよい。また、水平解像度の候補は、アスペクト比で表されてもよい。【００２６】
ここで、水平解像度５２が示す水平解像度の候補は、例えば、既存の映像表示装置で使用されている垂直解像度と水平解像度の組み合わせから予め選択される。【００２７】
また、水平解像度５２が示す水平解像度の候補には、その候補を入力映像信号の水平解像度として判定する順番を示す番号５３が付けられている。【００２８】
図２に戻る。判定部２０は、水平解像度の自動調整時に、以下の処理を行う。つまり、判定部２０は、入力信号に含まれる同期信号から、その入力信号に含まれる入力映像信号の垂直解像度を判定する。判定部２０は、信号データメモリ１０内にある、その判定した垂直解像度に応じた水平解像度の候補を、順番に入力映像信号の水平解像度として判定する。【００２９】
ここで、自動調整を開始するタイミングは、例えば、ユーザが映像表示装置の入力部（図示せず）に入力した水平解像度の自動調整の実行を要求する実行信号を判定部２０が受け付けたタイミングなどである。また、判定部２０は、その自動調整の実行信号を受け付けるたびに、次の番号が付けられた水平解像度の候補を入力映像信号の水平解像度として判定する。これにより、判定部２０は、水平解像度の候補を順番に入力映像信号の水平解像度として判定することになる。【００３０】
変換部３０は、入力映像信号を、判定部２０にて判定された水平解像度および垂直解像度を有する出力映像信号に変換する。【００３１】
映像表示部４０は、変換部３０が変換した出力映像信号を表示する。【００３２】
次に動作を説明する。【００３３】
図４は、本実施形態の映像表示装置の動作例を説明するためのフローチャートである。【００３４】
判定部２０は、実行指示を受け付けると、ステップＳ１を実行する。【００３５】
ステップＳ１では、判定部２０は、入力映像信号に含まれる同期信号を受け付け、その同期信号から、入力映像信号の１フレームの総垂直ライン数を検出する。判定部２０は、その検出した総垂直ライン数に応じて入力映像信号の垂直解像度を判定する。その後、ステップＳ２が実行される。【００３６】
ステップＳ２では、判定部２０は、信号データメモリ１０内にある、その判定した垂直解像度に応じた水平解像度のいずれかを、入力映像信号の水平解像度として判定する。このとき、判定部２０は、過去に入力映像信号の水平解像度として判定された水平解像度の番号を保持しておき、その保持している番号の次の番号を有する水平解像度を、入力映像信号の水平解像度として判定する。その後、ステップＳ３が実行される。【００３７】
ステップＳ３では、判定部２０は、その判定した水平解像度および垂直解像度を変換部３０に設定する。その後、ステップＳ４が実行される。【００３８】
ステップＳ４では、変換部３０は、入力映像信号を受け付けると、その入力映像信号を、自己（変換部３０）に設定されている水平解像度および垂直解像度を有する出力映像信号に変換する。その後、ステップＳ５が実行される。【００３９】
ステップＳ５では、変換部３０は、その変換した出力映像信号を映像表示部４０に出力する。映像表示部４０は、その出力映像信号を受け付けると、その出力映像信号を表示する。【００４０】
次に効果を説明する。【００４１】
本実施形態によれば、信号データメモリ１０は、映像信号の垂直解像度ごとに、その垂直解像度に対応する水平解像度を記憶する。判定部２０は、入力映像信号に含まれる同期信号からその入力映像信号の垂直解像度を判定する。判定部２０は、信号データメモリ１０の中から、その判定された垂直解像度に応じた水平解像度を、順番に前記入力映像信号の水平解像度として判定する。変換部３０は、入力映像信号を、判定部２０にて判定された水平解像度および垂直解像度を有する出力映像信号に変換する。映像表示部４０は、変換部３０にて変換された出力映像信号に応じた映像を表示する。【００４２】
この場合、入力映像信号の水平解像度として、入力映像信号の垂直解像度と組み合わせ可能な水平解像度が順番に判定され、その判定された水平解像度を有する出力映像信号が表示される。【００４３】
したがって、ユーザは、入力映像信号の解像度の確認や指定を行わなくても、表示された映像信号を視覚的に確認しながら、垂直解像度と水平解像度の最適な組み合わせを選ぶことが可能になるので、容易な操作で映像信号を正確に表示させることが可能になる。【００４４】
次に第二の実施形態について説明する。【００４５】
図５は、本実施形態の映像表示装置の構成を示したブロック図である。図５において、映像表示装置は、ＰＬＬ部１と、Ａ／Ｄ変換部２と、フレームメモリ３と、映像処理部４と、映像表示部５と、同期検出部６と、映像検出部７と、信号データメモリ８と、ＣＰＵ部９とを有する。ここで、ＰＬＬ部１、Ａ／Ｄ変換部２、映像処理部４およびフレームメモリ３は、図２で示した変換部３０を構成する。また、同期検出部６、映像検出部７およびＣＰＵ部９は、図２で示した判定部２０を構成する。映像表示部５は、図２で示した映像表示部４０に対応し、信号データメモリ８は、図２で示した信号データメモリ１０に対応する。【００４６】
ＰＬＬ部１は、生成手段の一例である。ＰＬＬ部１には、ＰＬＬ分周比が設定されている。ＰＬＬ部１は、入力信号に含まれる同期信号である水平同期信号を、その設定されているＰＬＬ分周比で分周してサンプリングクロックを生成する。このため、サンプリングクロックの周波数は、ＰＬＬ分周比に応じて異なる。【００４７】
Ａ／Ｄ変換部２は、入力信号に含まれるアナログ信号である入力映像信号を、ＰＬＬ部３１で生成されたサンプリングクロックに応じてサンプルして、その入力映像信号をデジタル信号に変換する。これにより、サンプリングクロックの周波数に応じた水平解像度のデジタル信号の入力映像信号が生成される。【００４８】
フレームメモリ３は、記録手段の一例である。フレームメモリは、１フレーム分の入力映像信号を出力映像信号として記録する。【００４９】
映像処理部４は、処理手段の一例である。映像処理部４には、入力映像信号の規格に応じた映像処理をその入力映像信号に行うための信号データが設定される。なお、入力映像信号の規格は、入力映像信号の、垂直解像度、水平解像度、水平同期周波数、垂直同期周波数および同期極性などである。【００５０】
信号データは、例えば、入力映像信号の垂直方向のドット数である入力映像信号の高さ、入力映像信号の水平方向のドット数である入力映像信号の幅、入力映像信号の垂直方向の開始位置および水平方向の開始位置、および、フレームメモリ３に記録された出力映像信号を映像表示部５に表示するための出力信号フォーマットデータなどである。なお、出力信号フォーマットデータは、出力映像信号の水平方向の倍率および垂直方向の倍率を含む。【００５１】
映像処理部４は、Ａ／Ｄ変換部２にてデジタル信号に変換された入力映像信号を、設定されている垂直および水平方向の開始位置、入力映像信号の幅および高さで、フレームメモリ３に取り込むことで、その開始位置、入力映像信号の幅および高さを有する出力映像信号に変換する。【００５２】
また、映像処理部４は、自身（映像処理部４）に設定されている出力信号フォーマットデータに応じて、フレームメモリ３に取り込まれている出力映像信号に映像処理を行う。具体的には、出力信号フォーマットデータが示す倍率で出力映像信号を変倍して、出力映像信号をスケーリングする。【００５３】
映像表示部５は、映像処理部４がスケーリングした出力映像信号を表示する。【００５４】
同期検出部６は、同期信号である垂直同期信号および水平同期信号から、入力映像信号の、１フレームの総垂直ライン数、水平同期周波数、垂直同期周波数および同期極性などの、入力映像信号の規格を判定するための同期信号情報を検出する。【００５５】
映像検出部７は、ＰＬＬ部１にて生成されたサンプリングクロックと、Ａ／Ｄ変換部２にてデジタル信号に変換された入力映像信号と、同期信号とから、映像信号情報を検出する。【００５６】
映像検出情報は、入力映像信号の水平方向の開始位置と、入力映像信号の垂直方向の開始位置と、入力映像信号の垂直方向のドット数を表わす垂直映像幅と、入力映像信号の水平方向のドット数を表わす水平映像幅と、を含む。【００５７】
信号データメモリ８は、入力映像信号の規格に応じた映像処理を実行するための設定データを記憶している。【００５８】
設定データは、入力映像信号の規格ごとにその規格の入力映像信号に映像処理を実行するための信号別設定データ有する。【００５９】
例えば、設定データとしては、映像信号の垂直解像度ごとに水平解像度の候補を対応付けた解像度情報や、入力映像信号の規格ごとに、フレームメモリ１０４に取り込む入力映像信号の垂直方向および水平方向の開始位置を対応付けた取込情報、映像信号の水平解像度ごとにＰＬＬ分周比を対応付けた分周比情報、入力映像信号の規格ごとにその規格の入力映像信号に応じた出力映像信号を映像表示部５に表示するための出力信号フォーマットなどである。【００６０】
なお、出力信号フォーマットは、例えば、入力映像信号のアスペクト比を保ったまま、出力映像信号を映像表示部５に表示するための、出力映像信号の垂直および水平方向の倍率などである。また、解像度情報は、例えば、図３で示した解像度情報５０である。【００６１】
入力映像信号を最初に映像表示部５に表示する場合、ＣＰＵ部９は、以下の処理を行う。【００６２】
先ず、ＣＰＵ部９は、同期検出部６にて検出された総垂直ライン数を入力映像信号の垂直解像度として判定する。ＣＰＵ部９は、信号データメモリ８の中から、その垂直解像度に応じた水平解像度のうちの予め定められた基準水平解像度を、入力映像信号の水平解像度として判定する。なお、基準水平解像度は、例えば、番号「１」の付いた水平解像度である。【００６３】
続いて、ＣＰＵ部９は、その判定した垂直解像度および水平解像度と、同期検出部６にて検出された水平同期周波数、垂直同期周波数および同期極性などと、を入力映像信号の規格として判定する。【００６４】
そして、ＣＰＵ部９は、その規格に応じた信号別設定情報を信号データメモリ８から取得し、その信号別設定情報をＰＬＬ部１および映像処理部４に設定する。【００６５】
例えば、ＣＰＵ部９は、水平解像度に応じたＰＬＬ分周比をＰＬＬ部１に設定する。また、ＣＰＵ部９は、垂直解像度を入力映像信号の高さとして映像処理部４に設定し、水平解像度を入力映像信号の幅として設定する。さらに、ＣＰＵ部９は、その判定した規格に対応する取込情報および出力信号フォーマットを映像処理部４に設定する。【００６６】
また、自動調整が実行される場合、例えば、ＣＰＵ部９が実行指示を受け付けた場合、ＣＰＵ部９は、以下の処理を行う。【００６７】
先ず、ＣＰＵ部９は、同期検出部６にて検出された総垂直ライン数を入力映像信号の垂直解像度として判定する。【００６８】
続いて、ＣＰＵ部９は、その垂直解像度に応じた水平解像度の候補のいずれかを入力映像信号の水平解像度として判定する。このとき、自動調整が実行される度に、ＣＰＵ部９は、その垂直解像度に応じた水平解像度の候補を、ローテーションさせながら順番に入力映像信号の水平解像度として判定する。【００６９】
例えば、解像度情報が図５で示した解像度情報５０の場合、垂直解像度が７６８であると、水平解像度の候補には、１０２４、１３６０、１２２４および１２８０の４つがある。【００７０】
最初の自動調整では、ＣＰＵ部９は、水平解像度の候補「１０２４」を入力映像信号の水平解像度として判定する。そして、その次の自動調整では、ＣＰＵ部９は、水平解像度の候補「１３６０」を入力映像信号の水平解像度として判定する。その次の自動調整では、ＣＰＵ部９は、水平解像度の候補「１２２４」を入力映像信号の水平解像度として判定する。そして、その次の自動調整では、ＣＰＵ部９は、水平解像度の候補「１２８０」を入力映像信号の水平解像度として判定する。そして、その次に自動調整では、ＣＰＵ部９は、最初の自動調整と同じように、水平解像度の候補「１０２４」を入力映像信号の水平解像度として判定する。【００７１】
以降、自動調整が実行されるたびに、入力映像信号の水平解像度は、１３６０→１２２４→１２８０→１０２４→１３６０→・・・のようにローテーションして判定される。【００７２】
なお、水平解像度の候補が１つしかない場合、例えば、図３で示した解像度情報５０における垂直解像度が８００の場合、その一つの候補が繰り返し、入力映像信号の水平解像度として判定される。【００７３】
図５に戻り、ＣＰＵ部９は、入力映像信号の水平解像度を判定すると、その水平解像度と、映像検出部７にて検出された水平映像幅とが一致するように、ＰＬＬ分周比を調整する。【００７４】
そして、ＣＰＵ部９は、その判定した垂直解像度および水平解像度と、同期検出部６にて検出された水平同期周波数、垂直同期周波数および同期極性などと、を入力映像信号の規格として判定する。【００７５】
ＣＰＵ部９は、その判定した垂直解像度を入力映像信号の高さとして映像処理部４に設定し、その判定した平解像度を入力映像信号の幅として映像処理部４に設定する。【００７６】
これにより、映像処理部４は、入力映像信号を、ＣＰＵ部９で判定された水平解像度を水平方向の取り込み幅とし、かつ、ＣＰＵ部９で判定された垂直解像度を垂直方向の取り込み幅としてフレームメモリ３に取り込むこととなる。【００７７】
また、ＣＰＵ部９は、その規格に応じた信号別設定情報を信号データメモリ８から取得し、その信号別設定情報を映像処理部４に設定する。映像処理部４に設定する情報は、その規格に対応する取込情報および出力信号フォーマットなどの信号データである。【００７８】
これにより、入力映像信号に規格に対応する出力信号フォーマットが映像処理部４に設定されるので、映像処理部４は、フレームメモリ４に取り込んだ出力映像信号を、その判定した垂直解像度および水平解像度で定められるアスペクト比を保ったまま、映像表示部の解像度に収まるようにスケーリングすることになる。【００７９】
例えば、映像表示部５の解像度が１０２４×７６８の場合に、垂直解像度が７６８と判定された場合、入力映像信号の水平解像度は１０２４、１３６０、１２２４および１２８０の４つがあり得る。【００８０】
この場合、解像度が１０２４×７６８（アスペクト比４：３）の出力映像信号は、１０２４×７６８（アスペクト比４：３）の出力映像信号にスケーリングされる。また、解像度が１３６０×７６８（アスペクト比１６：９）の出力映像信号は、１０２４×５７６（アスペクト比１６：１９）の出力映像信号にスケーリングされる。また、解像度が１２２４×７６８（アスペクト比１６：９）の出力映像信号は、１０２４×６４０（アスペクト比１６：１９）の出力映像信号にスケーリングされる。また、解像度が１２８０×７６８（アスペクト比１６：９）の出力映像信号は、１０２４×６１４（アスペクト比１６：１９）の出力映像信号にスケーリングされる。【００８１】
次に動作を説明する。【００８２】
図６は、自動調整時の動作を説明するためのフローチャートである。【００８３】
なお、同期検出部６は、同期信号情報を検出すると、その同期信号情報をＣＰＵ部９に通知し、映像検出部７は、映像信号情報を検出すると、その映像信号情報をＣＰＵ部９に通知しているものとする。【００８４】
ＣＰＵ部９は、実行指示を受け付けると、ステップＳ１０１を実行する。【００８５】
ステップＳ１０１では、ＣＰＵ部９は、同期検出部６から通知された同期信号情報を受け付けると、その同期信号情報に含まれる総垂直ライン数を入力映像信号の垂直解像度として判定する。その後、ステップＳ１０２が実行される。【００８６】
ステップＳ１０２では、ＣＰＵ部９は、その判定した垂直解像度に応じた水平解像度の候補の一つを取得する。例えば、ＣＰＵ部９は、現在、水平解像度として判定した候補に付けられた番号を保持し、その番号の次の番号が付いた候補を取得する。このとき、次の番号が付いた候補がない場合、ＣＰＵ部９は、番号「１」が付いた候補を取得する。【００８７】
ＣＰＵ部９は、その取得した水平解像度の候補を、入力映像信号の水平解像度として判定する。なお、水平解像度の候補がアスペクト比で示されている場合、ＣＰＵ部９は、そのアスペクト比を垂直解像度掛け合わせることで、水平解像度を求め、その水平解像度を入力映像信号の水平解像度として判定する。その後、ステップＳ１０３を実行する。【００８８】
ステップＳ１０３では、ＣＰＵ部９は、映像検出部７から映像信号情報を受け付けると、その映像信号情報内の水平映像幅と、その判定した水平解像度と、が一致するようにＰＬＬ部１のＰＬＬ分周比を調整する。【００８９】
例えば、ＣＰＵ部９は、ＰＬＬ分周比をずらしながらＰＬＬ部１に設定する。ＣＰＵ部９は、ＰＬＬ分周比をずらすたびに、そのドット数と水平解像度とを比較して、そのドット数と水平解像度が一致しているか否かを判断する。ＣＰＵ部９は、そのドット数と水平解像度が一致していると、ＣＰＵ部９は、ＰＬＬ分周比を固定する。【００９０】
その後、ステップＳ１０４が実行される。【００９１】
ステップＳ１０４では、ＣＰＵ部９は、その判定した水平解像度および垂直解像度と、同期検出部６から受け付けた水平同期周波数、垂直同期周波数および同期極性を入力映像信号の規格として判定する。その後、ステップＳ１０５が実行される。【００９２】
ステップＳ１０５では、ＣＰＵ部９は、その規格に応じた信号別設定データを信号データメモリ８から取得し、その取得した信号別設定データを信号データとして映像処理部４に設定し、動作を終了する。【００９３】
次に効果を説明する。【００９４】
本実施形態では、ＣＰＵ部９は、水平解像度の候補を、ローテーションさせながら順番に入力映像信号の水平解像度として判定する。【００９５】
この場合、何度でも水平解像度を調整することが可能になり、ユーザが水平解像度を実際の異なると判断しても、容易に水平解像度を再調整することが可能になる。【００９６】
また、本実施形態では、映像処理部４は、入力映像信号を、ＣＰＵ部９で判定された水平解像度を水平方向の取り込み幅とし、かつ、ＣＰＵ部９で判定された垂直解像度を垂直方向の取り込み幅としてフレームメモリ３に取り込んで、出力映像信号に変換する。【００９７】
この場合、水平解像度および垂直解像度を有する１フレーム分の映像信号を正確に生成することが可能になる。【００９８】
また、本実施形態では、ＣＰＵ部９は、映像検出部７で検出された入力映像信号の水平方向のドット数と、入力映像信号の水平解像度とが一致するように、ＰＬＬ部１が生成するサンプリングクロックの周波数を調整する。Ａ／Ｄ変換部２は、そのサンプリングクロックに応じて入力映像信号をサンプルして、入力映像信号をデジタル信号に変換する。【００９９】
この場合、入力映像信号を水平解像度に応じたデジタル信号に変換することが可能になるので、入力映像信号をデジタル信号に変換する際に、その入力映像信号内の情報が欠落することを抑制することが可能になる。【０１００】
以上、実施形態を参照して本願発明を説明したが、本願発明は、上記実施形態に限定されたものではない。本願発明の構成や詳細には、本願発明のスコープ内で当業者が理解し得る様々な変更を行うことができる。
【図１】
0005473007.tif 000003
【図２】
0005473007.tif 000004
【図３】
0005473007.tif 000005
【図４】
0005473007.tif 000006
【図５】
0005473007.tif 000007
【図６】
0005473007.tif 000008